(57)【特許請求の範囲】
【請求項１】
中性子を照射して被写体を透過した中性子から前記被写体の拡大した中性子透過画像を得る中性子顕微鏡であって、
中性子と反応して放出される荷電粒子を光に変換し変換した光を電子に変換する中性子入力面と、変換した電子を加速して増幅し画像を拡大する方向に拡散させる電子レンズと、加速された電子によって発光する出力面とを有する中性子イメージインテンシファイアを具備し、拡大した第１画像を得る第１画像生成機構と、
前記第１画像生成機構によって形成された前記第１画像の光を電子に変換し、変換した電子を加速して増幅し、加速された電子の強度に応じて複数の異なる色で発光する蛍光体でカラー画像として出力する第２画像生成機構と、
前記第２画像生成機構によって得られた前記第２画像を撮像する撮像カメラと、
を具備したことを特徴とする中性子顕微鏡。
【請求項２】
請求項１記載の中性子顕微鏡であって、
前記第１画像生成機構は、前記中性子入力面の面積より前記出力面の面積が広く構成され拡大した画像を得る拡大中性子イメージインテンシファイアと、前記拡大中性子イメージインテンシファイアで得られた画像をさらに拡大する拡大光学系と
を有することを特徴とする中性子顕微鏡。
【請求項３】
請求項１記載の中性子顕微鏡であって、
前記第１画像生成機構は、前記中性子入力面の面積より前記出力面の面積が狭く構成され縮小した画像を得る中性子イメージインテンシファイアと、前記中性子イメージインテンシファイアで得られた画像を拡大する拡大光学系と
を有することを特徴とする中性子顕微鏡。
【請求項４】
請求項２又は３記載の中性子顕微鏡であって、
前記拡大光学系は、前記第１画像生成機構の前記出力面の一部の画像を選択するための移動機構と、拡大率を変更するズーム機構と
を備えることを特徴とする中性子顕微鏡。
【請求項５】
請求項１〜４いずれか１項記載の中性子顕微鏡であって、
前記第１画像生成機構の前記出力面に、プラセオジムまたはテルビウムあるいはユウロピウムを賦活剤とした酸硫化イットリウムまたは酸硫化ランタンを含む蛍光体を使用した
ことを特徴とする中性子顕微鏡。
【請求項６】
請求項１〜５いずれか１項記載の中性子顕微鏡であって、
前記第２画像生成機構の加速された電子の強度に応じて複数の異なる色で発光する蛍光体に、ユーロピウムを賦活剤とした酸硫化イットリウムまたは酸硫化ガドリニウムを含む蛍光体を使用した
ことを特徴とする中性子顕微鏡。
【請求項７】
請求項１〜６いずれか１項記載の中性子顕微鏡であって、
前記第２画像生成機構は、
光を電子に変換し、変換した電子を加速して増幅し、加速された電子によって単色画像を形成する１又は複数の第１増幅機構と、
前記第１増幅手段の前記単色画像の光を電子に変換し、変換した電子を加速して増幅し、加速された電子の強度に応じて複数の異なる色で発光する蛍光体でカラー画像として出力する第２増幅機構と
を具備していることを特徴とする中性子顕微鏡。
【請求項８】
請求項７記載の中性子顕微鏡であって、
前記第１増幅機構が、マイクロチャネルプレートから構成されていることを特徴とする中性子顕微鏡。
【請求項９】
請求項７又は８記載の中性子顕微鏡であって、
前記第２増幅機構が、光カラーイメージインテンシファイアから構成されていることを特徴とする中性子顕微鏡。
【請求項１０】
請求項１〜９いずれか１項記載の中性子顕微鏡であって、
前記被写体と、前記第１画像生成機構と、前記第２画像生成機構と、前記撮像カメラとが、除振台上に設けられ、かつ、前記第１画像生成機構と、前記第２画像生成機構と、前記撮像カメラとが、暗箱内に一体化して設けられている
ことを特徴とする中性子顕微鏡。
【請求項１１】
中性子を照射して被写体を透過した中性子から前記被写体の拡大した中性子透過拡大画像を得る中性子透過拡大画像形成方法であって、
中性子と反応して放出される荷電粒子を光に変換し変換した光を電子に変換する中性子入力面と、変換した電子を加速して増幅し画像を拡大する方向に拡散させる電子レンズと、加速された電子によって発光する出力面とを有する中性子イメージインテンシファイアを用いて、拡大した第１画像を得る第１画像生成ステップと、
前記第１画像生成ステップによって形成された前記第１画像の光を電子に変換し、変換した電子を加速して増幅し、加速された電子の強度に応じて複数の異なる色で発光する蛍光体でカラー画像として出力する第２画像生成ステップと、
前記第２画像生成ステップによって得られた前記第２画像を撮像カメラで撮像する撮像ステップと、
を具備したことを特徴とする中性子透過拡大画像形成方法。
【発明の詳細な説明】
【技術分野】
【０００１】
本発明は、中性子線を用い、被検体及び照射構造物等の高精細で鮮明な透過画像を提供する中性子顕微鏡及び中性子透過拡大画像形成方法に関する。
【背景技術】
【０００２】
Ｘ線やγ線、中性子など放射線が物質を透過する際には、その構成物質の種類や形状によって吸収や散乱が異なってくる。この透過してきた放射線を映像として写真やビデオ、デジタルファイル等として記録すれば、物質の破損状態、変化、充填状況等を把握できる。これは一般にＸ線ではレントゲン写真として人体の内部の状態を診察する方法として用いられている。測定したい物体あるいは試料を破壊せずに内部の状態を測定するこの方法はラジオグラフィまたは非破壊放射線撮影法と呼ばれている。
【０００３】
測定対象物の細かい状況を撮影する方法として顕微鏡がある。一般的に顕微鏡というと光学的もしくは電子的な技術を用いることによって、微小な物体を視覚的に拡大し、肉眼で見える大きさにする装置となっている。
【０００４】
Ｘ線を用いた顕微鏡は、Ｘ線が可視光に比べて波長が短いため、空間分解能が高い特徴を持っている。このＸ線を用いた顕微鏡については、対象物にＸ線を照射しその反射を検出するものや、透過型のものが知られている。特に透過型では、サンプル近くでＸ線の焦点を持たせ、拡大してＸ線検出器で検出する方法がある（例えば、特許文献１参照。）。
【０００５】
また、ナノフォーカスＸ線源を用い、拡大してカラーイメージインテンシファイアにて４００ナノメートルのスリットを撮影した結果について本発明者等が発表した論文もある（例えば、非特許文献１参照。）。この技術においても、Ｘ線の焦点サイズをナノメートルオーダーまで小さくし測定対象を線源に近くセットし、撮像系を遠く離すことで拡大撮影して分解能を上げている。
【０００６】
放射線の種類の中でＸ線のかわりに中性子を用いて物質内部を非破壊で検査する方法が知られている。この方法は、中性子ラジオグラフィ、又は最近では中性子イメージングとも呼ばれている。中性子を用いるとＸ線やγ線を用いた場合に観察できない金属内の水や水素、リチウムといった金属と比べて軽い物質の挙動を観察することができる。
【０００７】
図４は、ブリキ缶の中に入れた噴水玩具（図４（ａ）参照。）の様子を、Ｘ線で透過画像を撮影した場合（図４（ｂ）参照。）と、中性子線で透過画像を撮影した場合（図４（ｃ）参照。）との違いを示す写真である。図４（ｂ）に示すように、X線を用いた場合、缶の内部でモーターや電池は見えているものの噴水の出ている様子は見えていない。一方、図４（ｃ）に示すように、中性子を用いた場合、噴水の出ている様子や水が缶壁に当たって滴り落ちる様子が良くわかる。このように、中性子ラジオグラフィは、エンジンの潤滑油の動き、燃料電池で水素と酸素が反応して生成される水の挙動、航空機のエンジンブレード内の冷却路内の観察など、様々な分野で利用が期待されている。
【０００８】
これからは低炭素社会、水素社会といわれており、燃料電池の開発に力が注がれている。その中で、反応生成物質の水を効率よく電池の反応膜から除外することが求められ、その観察要求分解能は数ミクロンといわれている。現在、高分解で撮影できる反射型の中性子回折装置はあるものの、２次元イメージとして内部（表面ではなく構造材内部）の様子を観察できる透過型の中性子顕微鏡はない。
【先行技術文献】
【特許文献】
【０００９】
【特許文献１】特開平０９−６１６００号公報
【非特許文献】
【００１０】
【非特許文献１】東芝レビュー  Vol.63 No.2 (2008)  pp.15-18「X線カラーI.I.TMを用いたナノ検査技術」
【発明の概要】
【発明が解決しようとする課題】
【００１１】
中性子の波長は、熱中性子で約０．２ナノメートルであり、Ｘ線同様に測定対象物を拡大撮影して撮影することが理論的には可能である。しかしながら、上述したように、従来中性子を用い、非破壊で物質や構造内部の状況を透過画像により拡大し観察できる中性子顕微鏡は無かった。
【００１２】
本発明は、上記従来の事情に対処してなされたもので、中性子を用い、非破壊で物質や構造内部の状況を透過画像により拡大し観察できる中性子顕微鏡及び中性子透過拡大画像形成方法を提供しようとするものである。
【課題を解決するための手段】
【００１３】
本発明の中性子顕微鏡の一態様は、中性子を照射して被写体を透過した中性子から前記被写体の拡大した中性子透過画像を得る中性子顕微鏡であって、中性子と反応して放出される荷電粒子を光に変換し変換した光を電子に変換する中性子入力面と、変換した電子を加速して増幅し画像を拡大する方向に拡散させる電子レンズと、加速された電子によって発光する出力面とを有する中性子イメージインテンシファイアを具備し、拡大した第１画像を得る第１画像生成機構と、前記第１画像生成機構によって形成された前記第１画像の光を電子に変換し、変換した電子を加速して増幅し、加速された電子の強度に応じて複数の異なる色で発光する蛍光体でカラー画像として出力する第２画像生成機構と、前記第２画像生成機構によって得られた前記第２画像を撮像する撮像カメラと、を具備したことを特徴とする。
【００１４】
本発明の中性子透過拡大画像形成方法の一態様は、中性子を照射して被写体を透過した中性子から前記被写体の拡大した中性子透過拡大画像を得る中性子透過拡大画像形成方法であって、中性子と反応して放出される荷電粒子を光に変換し変換した光を電子に変換する中性子入力面と、変換した電子を加速して増幅し画像を拡大する方向に拡散させる電子レンズと、加速された電子によって発光する出力面とを有する中性子イメージインテンシファイアを用いて、拡大した第１画像を得る第１画像生成ステップと、前記第１画像生成ステップによって形成された前記第１画像の光を電子に変換し、変換した電子を加速して増幅し、加速された電子の強度に応じて複数の異なる色で発光する蛍光体でカラー画像として出力する第２画像生成ステップと、前記第２画像生成ステップによって得られた前記第２画像を撮像カメラで撮像する撮像ステップと、を具備したことを特徴とする。
【発明の効果】
【００１５】
本発明によれば、中性子を用い、非破壊で物質や構造内部の状況を透過画像により拡大し観察できる中性子顕微鏡及び中性子透過拡大画像形成方法を提供することができる。
【図面の簡単な説明】
【００１６】
【図１】本発明の一実施形態に係る中性子顕微鏡の全体概略構成を模式的に示す図。
【図２】中性子入力面の構成を模式的に示す図。
【図３】本発明の第２実施形態に係る中性子顕微鏡の全体概略構成を模式的に示す図。
【図４】Ｘ線を用いたラジオグラフィと中性子を用いたラジオグラフィとの違いを示す写真。
【発明を実施するための形態】
【００１７】
以下、本発明の中性子顕微鏡及び中性子透過拡大画像形成方法の詳細を、図面を参照して実施形態について説明する。
【００１８】
図１は、本発明の一実施形態に係る中性子顕微鏡１００の全体概略構成を模式的に示すものである。中性子顕微鏡１００の初段には、撮影サンプル２中を透過してきた中性子１と反応し、電子的に拡大して可視画像にする拡大中性子イメージインテンシファイア３が設けられている。
【００１９】
拡大中性子イメージインテンシファイア３の後段には、拡大光学系６が設けられており、拡大中性子イメージインテンシファイア３による可視画像の一部を光学的に拡大するようになっている。また、拡大光学系６の後段には、光増幅する２段目の光カラーイメージインテンシファイア７が設けられており、１段目の微弱な可視画像を増幅してカラー画像として出力する。そして、この２段目の光カラーイメージインテンシファイア７による出力カラー画像を光学系１０を用いて撮像カメラ１１で取り込み表示、記録するようになっている。なお、拡大光学系６は、拡大率を変更するズーム機能を具備している。
【００２０】
第１段目の拡大中性子イメージインテンシファイア３は、撮影サンプル２中を透過してきた中性子１が入射するための中性子入力面４を具備している。この中性子入力面４は、図２に示すように、アルミ基板４０に、反応膜４１、蛍光体層４２、光電変換膜４３を積層して構成されている。
【００２１】
中性子入力面４に入射した中性子は、反応膜４１中の反応体（ホウ素やリチウム、ガドリニウムなど特定の中性子反応物質）と反応し、その反応から生成されるアルファ線、ベータ線、内部転換電子、又はガンマ線、で蛍光体層４２の蛍光体（ヨウ化セシウム、ヨウ化ナトリウム、プラセオジムまたはテルビウムあるいはユウロピウムを賦活剤とした酸硫化ガドリニウムや酸硫化イットリウム等からなる。）を発光させるよう構成されている。
【００２２】
そして、発光させた光を光電変換膜４３にて電子に変換し、この電子を図１に示す電子レンズ３０で電子増幅して、出力面５の出力蛍光体（プラセオジムまたはテルビウムあるいはユウロピウムを賦活剤とした酸硫化イットリウムまたは酸硫化ランタン）を発光させ、可視画像とするようになっている。図１に示すように、出力面５の面積は、中性子入力面４の面積より広くなっており、電子レンズ３０は、中性子入力面４から出力面５に向けて画像を拡大する方向に電子を拡散させる。
【００２３】
ここで、反応膜４１は、その厚さを薄くしなければ、解像度が低下して顕微鏡としての性能が低下する。そこで、反応膜４１の厚さを薄くして中性子との反応効率を高くするために、ホウ素やリチウム、ガドリニウムには、反応性の高い同位体を濃縮したものを用いることが望ましい。このような同位体として、ホウ素の場合にはホウ素１０（１０Ｂ）、リチウムの場合にはリチウム６（６Ｌｉ）、ガドリニウムの場合にはガドリニウム１５７（１５７Ｇｄ）が適している。
【００２４】
さらに、これらを反応膜４１として形成するためには安定な化合物でなければならない。そこで、ホウ素を用いる場合には炭化ホウ素（Ｂ４Ｃ）、リチウムを用いる場合にはフッ化リチウム（ＬｉＦ）、ガドリニウムの場合には酸化ガドリニウム（Ｇｄ２Ｏ３）を用いることが好ましい。
【００２５】
また、中性子のエネルギーによって反応する効率が異なる。一般に、エネルギーに対して反応する確率を示す指標となるのが反応断面積（一般に単位はバーン[ｂ]が使われる。１ｂ＝１×１０−２８ｍ２として表されている。）であり、元素の同位体毎に異なる。中性子のエネルギーが約０．０２５ｅＶの熱中性子と呼ばれる領域よりも低いエネルギー領域（冷中性子とも呼ばれている）では、天然に存在するガドリニウム（ガドリニウム１５７が１５．７％）の方が、ホウ素１０よりも約１２倍以上、リチウム６よりも約４９倍この反応断面積が大きい。
【００２６】
ガドリニウム１５７を同位体として濃縮した場合には、濃縮したホウ素１０よりも約６３倍以上反応断面積が大きくなり反応効率が高くなる。但し、中性子のエネルギーが熱中性子よりも高い場合には（熱外中性子、高速中性子）ガドリニウムの反応断面積は急激に小さくなり、エネルギーに対して共鳴する領域（反応断面積が高くなったり低くなったりする領域）があり、高速中性子の高い中性子エネルギーでは逆にホウ素１０と比較しても約２桁近く小さくなってしまう。従って、反応膜４１は、使用する中性子のエネルギー、求める分解能に応じてその厚さと材質を選択する必要がある。
【００２７】
更に、中性子と反応して生成する荷電粒子と蛍光体層４２の蛍光体との相互作用では、図２（ａ）に示すように、ホウ素とリチウムでは、中性子と反応してα線が発生し、このα線が蛍光体を発光させる。このα線の物質内を透過する距離（一般的には飛程と呼ばれている）は短く、約４〜５μｍ程度である。
【００２８】
一方ガドリニウムの場合には、図２（ｂ）に示すように、中性子と反応してγ線と内部転換電子が生成され、エネルギーの高いγ線は蛍光体とほとんど反応せずに抜けてしまい、内部転換電子は約２０μｍの飛程で蛍光体と反応する。この飛程の中で内部転換電子はエネルギーを失い蛍光体を発光させる。
【００２９】
α線は、内部転換電子の飛程と比べて短い距離で全てのエネルギーを蛍光体中で失うため、短い距離で強い発光が得られる。一方、内部転換電子の場合には、飛程の距離が長い分、蛍光体の発光する領域も広くなり解像度の点ではアルファ線よりも良くならない。この点も上記反応膜の厚さと中性子のエネルギーと合わせて考える必要がある。
【００３０】
図２（ａ）に示すように、ホウ素を材料とする場合は、反応膜（１０Ｂ４Ｃ）４１の厚さは４〜５μｍ程度で蛍光体層４２の厚さも５μｍ程度とすることが好ましい。蛍光体層４２の厚さは、５μｍ以上でもかまわないが発光した光の拡散を考慮する必要がある。例えば、ヨウ化セシウムの場合には針状の結晶として光の拡散を防ぐ工夫をする。この場合は、蛍光体層４２の厚さを２０μｍ程度としてもよい。
【００３１】
一方、図２（ｂ）に示すように、ガドリニウムを材料とする場合は、反応効率の点から考えると反応膜（Ｇｄ２Ｏ３）４１の厚さは１０μｍ程度（例えば１２μｍ）が適しており、蛍光体層４２の厚さは２０μｍ程度が望ましい。この場合も例えば、ヨウ化セシウムの場合には針状の結晶として光の拡散を防ぐ工夫をすれば、蛍光体層４２の厚さを５０μｍ程度としてもよい。
【００３２】
しかし、解像度を上げるためには、反応効率は下がってしまうが反応膜４１の厚さと蛍光体層４２の厚さを薄くする必要がある。究極的に解像度を上げるにはホウ素を用いて反応膜４１を薄くし、蛍光体層４２も薄くすることが望ましい。
【００３３】
図２に示した光電変換膜４３で電子に変換された後、この電子を、図１に示される電子レンズ３０で加速し、増幅して出力面５の蛍光体を発光させる。この出力面５の蛍光体粒子の大きさは、平均粒径で１〜３μｍ程度とすることが好ましく、コーティングする厚さも１〜３μｍ以下程度とすることが好ましい。
【００３４】
この出力面５に用いる蛍光体は、その発光波長が、次の段で増幅する光カラーイメージインテンシファイア７の入力面８の光電変換膜の波長分光感度特性に合っているものを選択する。例えば光電変換膜の波長が緑色で感度が最大の場合には、第１段目の中性子イメージインテンシファイア３の出力面５の発光波長を緑色にする。同様に、入力面８の光電変換膜が青に感度が高い場合には、青色発光の蛍光体を選択し、赤に感度が高い場合には赤の蛍光体を選択する。
【００３５】
第1段目の拡大中性子イメージインテンシファイア３の出力面５の視野を、第２段目の光カラーイメージインテンシファイア７の入力面８に拡大光学系６で１００倍に拡大し、第１段目の拡大中性子イメージインテンシファイア３で、中性子入力面４に対して出力面５で１０倍に拡大したとすると、全体で１０００倍に拡大することができる。
【００３６】
第２段目の光カラーイメージインテンシファイア７は、入力面８に透明なガラスが用いられ、その内面に光電変換膜が形成されている。この光電変換膜で光が電子に変換され、この電子が、電子レンズ７０でカラー画像出力面９に加速されつつ縮小して照射されて、カラー画像出力面９の蛍光体がカラーで発光する。このカラー画像出力面９に使用する蛍光体は、複数の異なる色（本実施形態では、赤、緑、青（ＲＧＢ））で電子強度に応じてカラーの発光量が異なるものを選択することにより、測定の幅（ダイナミックレンジ）を広くすることができる。このような蛍光体としては、例えばユーロピウムを賦活剤とした酸硫化イットリウムまたは酸硫化ガドリニウムを用いることができる。
【００３７】
更にこのカラー画像出力面９の画像を光学系１０により結像して撮影カメラ１１で画像化し、表示、記録できるようになっている。この光学系１０で１０倍拡大すると前段での拡大と合わせて１００００倍、理論的には拡大できる。撮像カメラ１１としては、一般に使用されている動画カメラや１眼デジタルカメラなどを用いることができる。
【００３８】
以上の拡大中性子イメージインテンシファイア３、拡大光学系６、光カラーイメージインテンシファイア７、光学系１０、撮像カメラ１１は、防振対策を施した暗箱１２内に収容されている。なお、防振対策としては、一般に使用されている防振台上に設置すること等により行うことができる。この場合、被写体２も同じ防振台に設置することが好ましい。このように防振対策を行うことによって、数ミクロン程度の解像度を得ることができる。
【００３９】
また、拡大光学系６と、光カラーイメージインテンシファイア７と、光学系１０と、撮像カメラ１１とは、一体的に、拡大中性子イメージインテンシファイア３に対して、移動可能とされている。この移動は、拡大光学系６の光の入射側が、拡大中性子イメージインテンシファイア３の出力面５の曲面に沿って移動するように調整されており、これによって、拡大中性子イメージインテンシファイア３の出力面５のうち、拡大して見る位置を変更可能とされている。この移動のための精密な治具（図示せず。）も防振対策を施した暗箱１２内に収容されている。
【００４０】
なお、図１の中性子顕微鏡１００では、初段の拡大中性子イメージインテンシファイア３だけでは中性子強度が小さい場合に、出力面でカラーの可視画像にすることが難しい。そのため、２段目の光カラーイメージインテンシファイア７によって増幅させる構成とした。しかし、十分中性子強度が強く、初段の拡大中性子イメージインテンシファイア３だけでも十分に画像化できる場合には、拡大中性子イメージインテンシファイア３の出力面５に光カラーイメージインテンシファイア７のカラー画像出力面９に用いたカラー発光蛍光体を用い、拡大中性子カラーイメージインテンシファイアとしてもよい。
【００４１】
次に、図３を参照して第２実施形態に係る中性子顕微鏡２００について説明する。図１に示した中性子顕微鏡１００の構成で、初段の拡大中性子イメージインテンシファイア３では感度が十分に得られない場合には、拡大率は低下するが、拡大中性子イメージインテンシファイア３を、図３に示すように、電子レンズ３０で縮小するタイプの中性子イメージインテンシファイア３ａに変更する。この場合、中性子顕微鏡１００の場合に比べて、増幅率を約１００倍以上とすることができる。なお、図３において、図１と同一の部分には、同一符号を付して、重複した説明は省略する。
【００４２】
上記の実施形態で用いている各イメージインテンシファイアでは、電子レンズにおける加速電圧の調整で視野を調整することが可能である。通常出力面の視野（固定）から考えて入力面の視野を調整することができる。例えば、光カラーイメージインテンシファイア７の場合、入力面サイズが直径９インチでカラー画像出力面サイズが直径２５ｍｍの場合、入力面サイズを９インチ、６インチ、４．５インチに変更することができる。従って、この光カラーイメージインテンシファイア７だけで、拡大率を１．５倍、２倍にすることができる。逆に、拡大中性子イメージインテンシファイア３では、中性子入力面（固定）に対して出力面のサイズが異なるため、入力面のサイズが直径２５ｍｍで出力面サイズの直径が９インチの場合、９インチの電子レンズ起動が６インチ、４．５インチに変化することで、縮小率を１．５倍、２倍にすることができる。これらの組み合わせで拡大光学系での拡大率調整の他に電子レンズでの制御によって拡大率を調整することが可能になる。
【００４３】
上記の各実施形態では、光カラーイメージインテンシファイア７を、２段目に1つ設けて増幅する構成としているが、感度を更に上げるために多段にしてもよい。この場合、最終段に光カラーイメージインテンシファイア７を用い、中間段のイメージインテンシファイアは、単色（モノクロ）の光イメージインテンシファイアとする。この時、中間段の単色の光イメージインテンシファイア出力面に使用する蛍光体は、後段のイメージインテンシファイアの入力面に使用する光電変換膜の波長感度特性に合わせて選択する。これは上記した初段の拡大中性子イメージインテンシファイア３の出力蛍光体の選択の場合と同じである。一般には光電変換膜は青から緑色の波長域で感度が高い場合が多い。このため、青から緑色で発光する蛍光体を選択することが好ましい。また、中間段の光増幅には光イメージインテンシファイアの変わりにマイクロチャネルプレート型の増幅器を用いることも可能である
【００４４】
なお、本発明は、上記実施形態に限定されるものではなく、各種の変形が可能であることは勿論である。例えば、光カラーイメージインテンシファイア７の変わりにマイクロチャネルプレートを用いた光増幅機を用いることも可能である。
【符号の説明】
【００４５】
１……中性子、２……撮影サンプル、３……拡大中性子イメージインテンシファイア、４……中性子入力面、５……出力面、６……拡大光学系、７……光カラーイメージインテンシファイア、８……入力面、９……カラー画像出力面、１０……光学系、１１……撮影カメラ、１２……暗箱、３０，７０……電子レンズ。
【図１】
0005481152.tif 000002
【図２】
0005481152.tif 000003
【図３】
0005481152.tif 000004
【図４】
0005481152.tif 000005